(57)【特許請求の範囲】
【請求項１】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が高温再生器（２０２）、中温再生器（２０４）、低温再生器（２０６）の順に流過する様に構成され、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ、２１４Ａｄ）は高温再生器（２０２）に連通してから蒸気ドレン再生器（２２０，２２２，２２４，２５５，２２８、２３０）に連通しており、該蒸気ドレン再生器（２２０，２２２，２２４，２５５，２２８、２３０）は、吸収溶液ラインの高温溶液熱交換器（３０４）から高温再生器（２０２）に向う領域と、高温溶液熱交換器（３０４）から中温再生器（２０４）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）から前記第２の分岐点（２３４ｃ）に向う領域と、低温溶液熱交換器（３００）から吸収器（２０８）に向う領域とに介装されており、該蒸気ドレン再生器（２２０，２２２，２２４，２５５，２２８、２３０）は第３の冷媒蒸気ライン（２１９、２１９Ｇ１、２１９Ｇ２）或いは第４の冷媒蒸気ライン（１４８ｄ）を介して凝縮器（２１０）に連通する様に構成されていることを特徴とする蒸気焚き吸収冷温水機。
【請求項２】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３４、２５２）には、第１の分岐点（２３４ａ）で分岐して第１の合流点（２３４ｂ）で合流する分岐ラインに介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ラインに介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から出た吸収溶液が保有する熱量を投入するための高温溶液熱交換器（３０４）とが介装されており、
吸収器（２０８）から高温再生器（２０２）に連通する吸収溶液ライン（２３４，２５２）が、低温溶液熱交換器（３００）と中温溶液熱交換器（３０２）との間の領域における第３の分岐点（３０８）で低温再生器（２０６）に連通する第１の分岐ライン（３０６）が分岐しており、中温溶液熱交換器（３０２）と高温溶液熱交換器（３０４）との間の領域の第４の分岐点（３１１）で中温再生器（２０４）に連通する第２の分岐ライン（３１０）が分岐しており、高温再生器（２０２）から吸収器（２０８）に向かう吸収溶液ライン（３４０，３１２）は、第３の合流点（３２４）で低温再生器（２０６）で加熱された吸収溶液が流れる吸収溶液ライン（２３８）が合流しており、第４の合流点（３２０）で中温再生器（２０４）で加熱された吸収溶液が流れる吸収溶液ライン（３１８）が合流しており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ、２１４Ａｄ）は高温再生器（２０２）に連通してから蒸気ドレン再生器（２２０，２２２，２２４，２５５，２２８、２３０）に連通しており、該蒸気ドレン再生器（２２０，２２２，２２４，２５５，２２８、２３０）は、吸収溶液ラインの高温溶液熱交換器（３０４）から高温再生器（２０２）に向う領域と、高温溶液熱交換器（３０４）から中温再生器（２０４）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）から前記第２の分岐点（２３４ｃ）に向う領域と、低温溶液熱交換器（３００）から吸収器（２０８）に向う領域とに介装されており、該蒸気ドレン再生器（２２０，２２２，２２４，２５５，２２８、２３０）は第３の冷媒蒸気ライン（２１９、２１９Ｇ１、２１９Ｇ２）或いは第５の冷媒蒸気ライン（２２１Ｃ）を介して凝縮器（２１０）に連通する様に構成されていることを特徴とする蒸気焚き吸収冷温水機。
【請求項３】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３４、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、
吸収器（２０８）から高温再生器（２０２）に連通する吸収溶液ライン（２３４，２５２）が、低温溶液熱交換器（３００）と中温溶液熱交換器（３０２）との間の領域における第３の分岐点（３０８）で低温再生器（２０６）に連通する第１の分岐ライン（３０６）が分岐しており、中温溶液熱交換器（３０２）と高温溶液熱交換器（３０４）との間の領域における第４の分岐点（３１１）で中温再生器（２０４）に連通する第２の分岐ライン（３１０）が分岐しており、高温再生器（２０２）で加熱された吸収溶液が流れる吸収溶液ラインは中温再生器（２０４）に連通しており、中温再生器（２０４）で加熱された吸収溶液が流れる吸収溶液ラインは低温再生器（２０６）に連通する前記第１の分岐ライン（３０６）と合流（２４４ｇ）し、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６）の前記領域（２１６Ａ）と合流（３５４）し、第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ、２１４Ａｄ）は高温再生器（２０２）に連通してから蒸気ドレン再生器（２２０，２２２，２２４，２５６，２２８、２３０）に連通しており、該蒸気ドレン再生器（２２０，２２２，２２４，２５６，２２８、２３０）は、吸収溶液ラインの高温溶液熱交換器（３０４）から高温再生器（２０２）に向う領域と、高温溶液熱交換器（３０４）から中温再生器（２０４）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）から前記第２の分岐点（２３４ｃ）に向う領域と、低温溶液熱交換器（３００）から吸収器（２０８）に向う領域とに介装されており、該蒸気ドレン再生器（２２０，２２２，２２４，２５６，２２８、２３０）は第３の冷媒蒸気ライン（２１９、２１９Ｇ１、２１９Ｇ２）或いは第４の冷媒蒸気ライン（１４８ｄ）を介して凝縮器（２１０）に連通する様に構成されていることを特徴とする蒸気焚き吸収冷温水機。
【請求項４】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成され、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３５ａ、２３８ｃ、３８４、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、中温再生器（２０４）から高温再生器（２０２）に向う領域（２５２）に介装されて吸収器（２０８）に向う吸収溶液が保有する熱量を投入するための高温溶液熱交換器（３０４）とが介装されており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ）は高温再生器（２０２）に連通してから蒸気ドレン再生器（２２０，２３４Ｂ，２２８Ｂ）に連通しており、該蒸気ドレン再生器（２２０，２３４Ｂ，２２８Ｂ）は、吸収溶液ラインの高温溶液熱交換器（３０４）から高温再生器（２０２）に向う領域と、前記第２の合流点（２３４ｄ）から中温溶液熱交換器（３０４）に向う領域と、前記第１の合流点（２３４ｂ）から低温溶液熱交換器（３００）に向う領域とに介装されており、該蒸気ドレン再生器（２２０，２３４Ｂ，２２８Ｂ）は第３の冷媒蒸気ライン（２１９）を介して凝縮器（２１０）に連通する様に構成されていることを特徴とする蒸気焚き吸収冷温水機。
【請求項５】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３４、２３８ｂ、２３８ｄ、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、中温再生器（２０４）と高温再生器（２０２）との間の領域に介装されて吸収器（２０８）に向う吸収溶液が保有する熱量を投入するための高温溶液熱交換器（３０４）とが介装されており、
吸収器（２０８）を出た吸収溶液が、低温再生器（２０６）、中温再生器（２０４）、高温再生器（２０２）の順に流過する吸収溶液ラインと、高温再生器（２０２）と吸収器（２０８）とを連通する吸収溶液ライン（１１０）とを有し、低温再生器（２０６）と中温再生器（２０４）とを連通する吸収溶液ライン（２６２）の低温再生器（２０６）と中温溶液熱交換器（３０２）との間の第５の分岐点（２６４）から分岐する第１の分岐ライン（２６８）を有し、第１の分岐ライン（２６８）は高温再生器（２０２）と吸収器（２０８）とを連通する吸収溶液ライン（１１０）の中温溶液熱交換器（３０２）と低温溶液熱交換器（３００）との間の領域における第５の合流点（２６６）に合流し、中温再生器（２０４）と高温再生器（２０２）とを連通する吸収溶液ライン（２７０）の中温再生器（２０４）と高温溶液熱交換器（３０４）との間の第６の分岐点（２７２）から分岐する第２の分岐ライン（２７６）を有しており、第２の分岐ライン（２７６）は高温再生器（２０２）と吸収器（２０８）とを連通する前記ライン（１１０）の高温溶液熱交換器（３０４）と中温溶液熱交換器（３０２）との間の領域における第６の合流点（２７４）と合流し、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ）は高温再生器（２０２）に連通してから蒸気ドレン再生器（２２０、２３４Ｂ、２２８Ｂ）に連通しており、該蒸気ドレン再生器（２２０、２３４Ｂ、２２８Ｂ）は、吸収溶液ラインの高温溶液熱交換器（３０４）から高温再生器（２０２）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）低温溶液熱交換器（３００）に向う領域とに介装されており、該蒸気ドレン再生器（２２０、２３４Ｂ、２２８Ｂ）は第３の冷媒蒸気ライン（２１９）を介して凝縮器（２１０）に連通する様に構成されていることを特徴とする蒸気焚き吸収冷温水機。
【発明の詳細な説明】
【０００１】
【発明の属する技術分野】
本発明は、吸収冷温水機に関し、特に、高温再生器、中温再生器、低温再生器を有する３重効用蒸気焚き吸収冷温水機に関する。
【０００２】
【従来の技術】
図６に、従来の３重効用蒸気焚き吸収冷温水機の典型的な一例を示す。
吸収冷温水機Ｊ１は、高温再生器２０２と、中温再生器２０４と、低温再生器２０６と、吸収器２０８と、凝縮器２１０と、蒸発器２１２とを有している。そして、高温再生器２０２には加熱源である蒸気が流過する加熱用蒸気ライン２１４が連通し、加熱用蒸気が保有する熱量が高温再生器２０２内の吸収溶液に投入されて冷媒蒸気が発生（再生）する。
【０００３】
高温再生器で発生した蒸気は、蒸気ライン（第１の蒸気ライン２１６）を流れて、中温再生器２０４内の吸収溶液に対して、保有する熱量を投入する。これにより、中温再生器で２０４で冷媒蒸気が発生（再生）する。
中温再生器（２０４）で発生した蒸気は、第２の冷媒蒸気ライン２１８を流れて、低温再生器２０６内の吸収溶液に対して、その保有する熱量を投入し、以って、低温再生器２０６から冷媒蒸気を発生せしめている。
【０００４】
上記のような従来の３重効用蒸気焚き吸収冷温水機Ｊ１では、高温再生器２０２で熱交換後の蒸気（蒸気ドレン）は、加熱用蒸気ライン２１４Ａを介してそのまま、系外へ排出される。加熱用蒸気ライン２１４Ａ内の蒸気ドレンは、未だに或程度の熱量を保有しているが、その熱量を保有したまま系外に排出されており、不経済でもったいない。
【０００５】
しかし、従来の３重効用蒸気焚き吸収冷温水機では、蒸気ドレンが保有している熱量の有効利用については、全く考えられていない。
【０００６】
【発明が解決しようとする課題】
本発明は上述したような従来技術の問題点に鑑みて提案されたものであり、蒸気ドレンが保有している熱量の有効利用することが出来る３重効用蒸気焚き吸収冷温水機の提供を目的としている。
【０００７】
【課題を解決するための手段】
本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が高温再生器（２０２）、中温再生器（２０４）、低温再生器（２０６）の順に流過する様に構成され、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ、２１４Ａｄ）は高温再生器（２０２）に連通してから蒸気ドレン再生器（２２０，２２２，２２４，２５５，２２８、２３０）に連通しており、該蒸気ドレン再生器（２２０，２２２，２２４，２５５，２２８、２３０）は、吸収溶液ラインの高温溶液熱交換器（３０４）から高温再生器（２０２）に向う領域と、高温溶液熱交換器（３０４）から中温再生器（２０４）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）から前記第２の分岐点（２３４ｃ）に向う領域と、低温溶液熱交換器（３００）から吸収器（２０８）に向う領域とに介装されており、該蒸気ドレン再生器（２２０，２２２，２２４，２５５，２２８、２３０）は第３の冷媒蒸気ライン（２１９、２１９Ｇ１、２１９Ｇ２）或いは第４の冷媒蒸気ライン（１４８ｄ）を介して凝縮器（２１０）に連通する様に構成されている（請求項１：図１）。
【０００８】
また、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３４、２５２）には、第１の分岐点（２３４ａ）で分岐して第１の合流点（２３４ｂ）で合流する分岐ラインに介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ラインに介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から出た吸収溶液が保有する熱量を投入するための高温溶液熱交換器（３０４）とが介装されており、
吸収器（２０８）から高温再生器（２０２）に連通する吸収溶液ライン（２３４，２５２）が、低温溶液熱交換器（３００）と中温溶液熱交換器（３０２）との間の領域における第３の分岐点（３０８）で低温再生器（２０６）に連通する第１の分岐ライン（３０６）が分岐しており、中温溶液熱交換器（３０２）と高温溶液熱交換器（３０４）との間の領域の第４の分岐点（３１１）で中温再生器（２０４）に連通する第２の分岐ライン（３１０）が分岐しており、高温再生器（２０２）から吸収器（２０８）に向かう吸収溶液ライン（３４０，３１２）は、第３の合流点（３２４）で低温再生器（２０６）で加熱された吸収溶液が流れる吸収溶液ライン（２３８）が合流しており、第４の合流点（３２０）で中温再生器（２０４）で加熱された吸収溶液が流れる吸収溶液ライン（３１８）が合流しており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ、２１４Ａｄ）は高温再生器（２０２）に連通してから蒸気ドレン再生器（２２０，２２２，２２４，２５５，２２８、２３０）に連通しており、該蒸気ドレン再生器（２２０，２２２，２２４，２５５，２２８、２３０）は、吸収溶液ラインの高温溶液熱交換器（３０４）から高温再生器（２０２）に向う領域と、高温溶液熱交換器（３０４）から中温再生器（２０４）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）から前記第２の分岐点（２３４ｃ）に向う領域と、低温溶液熱交換器（３００）から吸収器（２０８）に向う領域とに介装されており、該蒸気ドレン再生器（２２０，２２２，２２４，２５５，２２８、２３０）は第３の冷媒蒸気ライン（２１９、２１９Ｇ１、２１９Ｇ２）或いは第５の冷媒蒸気ライン（２２１Ｃ）を介して凝縮器（２１０）に連通する様に構成されている（請求項２：図２）。
【０００９】
また、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３４、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、
吸収器（２０８）から高温再生器（２０２）に連通する吸収溶液ライン（２３４，２５２）が、低温溶液熱交換器（３００）と中温溶液熱交換器（３０２）との間の領域における第３の分岐点（３０８）で低温再生器（２０６）に連通する第１の分岐ライン（３０６）が分岐しており、中温溶液熱交換器（３０２）と高温溶液熱交換器（３０４）との間の領域における第４の分岐点（３１１）で中温再生器（２０４）に連通する第２の分岐ライン（３１０）が分岐しており、高温再生器（２０２）で加熱された吸収溶液が流れる吸収溶液ラインは中温再生器（２０４）に連通しており、中温再生器（２０４）で加熱された吸収溶液が流れる吸収溶液ラインは低温再生器（２０６）に連通する前記第１の分岐ライン（３０６）と合流（２４４ｇ）し、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６）の前記領域（２１６Ａ）と合流（３５４）し、第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ、２１４Ａｄ）は高温再生器（２０２）に連通してから蒸気ドレン再生器（２２０，２２２，２２４，２５６，２２８、２３０）に連通しており、該蒸気ドレン再生器（２２０，２２２，２２４，２５６，２２８、２３０）は、吸収溶液ラインの高温溶液熱交換器（３０４）から高温再生器（２０２）に向う領域と、高温溶液熱交換器（３０４）から中温再生器（２０４）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）から前記第２の分岐点（２３４ｃ）に向う領域と、低温溶液熱交換器（３００）から吸収器（２０８）に向う領域とに介装されており、該蒸気ドレン再生器（２２０，２２２，２２４，２５６，２２８、２３０）は第３の冷媒蒸気ライン（２１９、２１９Ｇ１、２１９Ｇ２）或いは第４の冷媒蒸気ライン（１４８ｄ）を介して凝縮器（２１０）に連通する様に構成されている（請求項３：図３）。
【００１０】
さらに、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成され、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３５ａ、２３８ｃ、３８４、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、中温再生器（２０４）から高温再生器（２０２）に向う領域（２５２）に介装されて吸収器（２０８）に向う吸収溶液が保有する熱量を投入するための高温溶液熱交換器（３０４）とが介装されており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ）は高温再生器（２０２）に連通してから蒸気ドレン再生器（２２０，２３４Ｂ，２２８Ｂ）に連通しており、該蒸気ドレン再生器（２２０，２３４Ｂ，２２８Ｂ）は、吸収溶液ラインの高温溶液熱交換器（３０４）から高温再生器（２０２）に向う領域と、前記第２の合流点（２３４ｄ）から中温溶液熱交換器（３０４）に向う領域と、前記第１の合流点（２３４ｂ）から低温溶液熱交換器（３００）に向う領域とに介装されており、該蒸気ドレン再生器（２２０，２３４Ｂ，２２８Ｂ）は第３の冷媒蒸気ライン（２１９）を介して凝縮器（２１０）に連通する様に構成されていることを特徴としている（請求項４：図４）。
【００１１】
或いは、本発明の蒸気焚き吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用蒸気ライン（２１４，２１４Ａ）が連通し、加熱用蒸気ライン（２１４）を流過する蒸気が保有する熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３４、２３８ｂ、２３８ｄ、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、中温再生器（２０４）と高温再生器（２０２）との間の領域に介装されて吸収器（２０８）に向う吸収溶液が保有する熱量を投入するための高温溶液熱交換器（３０４）とが介装されており、
吸収器（２０８）を出た吸収溶液が、低温再生器（２０６）、中温再生器（２０４）、高温再生器（２０２）の順に流過する吸収溶液ラインと、高温再生器（２０２）と吸収器（２０８）とを連通する吸収溶液ライン（１１０）とを有し、低温再生器（２０６）と中温再生器（２０４）とを連通する吸収溶液ライン（２６２）の低温再生器（２０６）と中温溶液熱交換器（３０２）との間の第５の分岐点（２６４）から分岐する第１の分岐ライン（２６８）を有し、第１の分岐ライン（２６８）は高温再生器（２０２）と吸収器（２０８）とを連通する吸収溶液ライン（１１０）の中温溶液熱交換器（３０２）と低温溶液熱交換器（３００）との間の領域における第５の合流点（２６６）に合流し、中温再生器（２０４）と高温再生器（２０２）とを連通する吸収溶液ライン（２７０）の中温再生器（２０４）と高温溶液熱交換器（３０４）との間の第６の分岐点（２７２）から分岐する第２の分岐ライン（２７６）を有しており、第２の分岐ライン（２７６）は高温再生器（２０２）と吸収器（２０８）とを連通する前記ライン（１１０）の高温溶液熱交換器（３０４）と中温溶液熱交換器（３０２）との間の領域における第６の合流点（２７４）と合流し、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
前記加熱用蒸気ライン（２１４，２１４Ａ）は高温再生器（２０２）に連通してから蒸気ドレン再生器（２２０、２３４Ｂ、２２８Ｂ）に連通しており、該蒸気ドレン再生器（２２０、２３４Ｂ、２２８Ｂ）は、吸収溶液ラインの高温溶液熱交換器（３０４）から高温再生器（２０２）に向う領域と、前記第２の合流点（２３４ｄ）から高温溶液熱交換器（３０４）に向う領域と、中温溶液熱交換器（３０２）から低温再生器（２０６）に向う領域と、前記第１の合流点（２３４ｂ）低温溶液熱交換器（３００）に向う領域とに介装されており、該蒸気ドレン再生器（２２０、２３４Ｂ、２２８Ｂ）は第３の冷媒蒸気ライン（２１９）を介して凝縮器（２１０）に連通する様に構成されていることを特徴としている（請求項５：図５）。
【００１２】
斯かる構成を具備する本発明によれば、前記加熱用蒸気ラインは高温再生器に連通してから蒸気ドレン再生器（２２０，２２２，２２４，２２６，２２８、２３０，２３２等）に連通しており、該蒸気ドレン再生器は、高温再生器（２０２）内の吸収溶液に熱量を投入した後に前記加熱用蒸気或いは蒸気ドレンが保有する熱量が、吸収器（２０８）から出て再生器に連通する吸収溶液ラインを流過する吸収溶液（再生器に供給される吸収溶液）に投入されて、冷媒蒸気を再生する様に構成されている。
すなわち、従来技術では系外へ排出されていた蒸気ドレンが保有する熱量が、再生器に向けて流れている吸収溶液（再生器に供給される吸収溶液）に投入されて、該吸収溶液の顕熱を上昇すると共に潜熱を供給して、冷媒蒸気を再生する、という形態で有効利用される。
【００１３】
その結果、投入される熱量（加熱用蒸気が保有する熱量）が同一であっても、蒸気ドレン再生器で冷媒蒸気が再生されるため、吸収冷温水機全体で冷媒蒸気  （水蒸気）の再生量が増大し、吸収冷温水機の効率が向上する。
【００１４】
【発明の実施の形態】
以下、添付図面を参照して、本発明の実施形態を説明する。なお、添付図面において、同様な部材には同様な符号を付して、重複説明を省略している。
【００１５】
図１は、本発明の第１実施形態である冷媒ドレン熱交換器つきのシリーズフロータイプの３重効用蒸気焚き吸収冷温水機Ｓ８を示している。
図１において、吸収冷温水機Ｓ８は、高温再生器２０２と、中温再生器２０４と低温再生器２０６と吸収器２０８と凝縮器２１０と、蒸発器２１２と、吸収溶液が流れるライン２３４等と、冷媒が流れるライン２１６等と、吸収溶液を加熱する加熱用蒸気ライン２１４、２１４Ａ等、とで主要部が構成されていている。
【００１６】
吸収器２０８は、第１の吸収部２０８Ｌと第２の吸収部２０８Ｈに分離して構成され、第１の吸収部２０８に溶液吸収器３６２が設けられている。溶液冷却吸収器３６２は、吸収器２０８から再生器２０２、２０４、２０６に向かう稀釈吸収溶液に、再生器２０２、２０４、２０６で加熱され且つ吸収器２０８内を滴下する吸収溶液が保有する熱量を投入する機能を有して構成されている。
【００１７】
蒸発器２１２は、第１の蒸発部２１２Ｌと第２の蒸発部２１２Ｈに分離して構成されている。
吸収器２０８と高温再生器２０２は、稀釈吸収溶液ライン２３４で連通されている。
【００１８】
高温再生器２０２に向かう吸収溶液ライン２３４は、分岐部２３４ａで、低温溶液熱交換器３００を介装した領域２３８ｂと第２の冷媒ドレン熱交換器３５８を介装した領域２３８ａとに分岐され、合流部２３４ｂで合流するよう構成されている。
【００１９】
第２の冷媒ドレン熱交換器３５８は、その中を流れる冷媒が有する熱量を領域２３８ａを流れる吸収溶液に投入するよう構成されている。
また、合流部２３４ｂに連通する岐部２３４ｃで、中温溶液熱交換器３０２を介装した領域２３８ｄと第１の冷媒ドレン熱交換器３５２を介装した領域２３８ｃとに分岐され、合流部２３４ｄで合流するよう構成されている。
【００２０】
第１の冷媒ドレン熱交換器３５２は、その中を流れる冷媒が有する熱量を領域２３８ｃを流れる吸収溶液に投入するよう構成されている。
また、吸収溶液ライン２３４の合流部２３４ｄと高温再生器２０２との間に高温溶液熱交換器３０４が介装されている。
【００２１】
高温再生器２０２と中温再生器２０４とは、高温溶液熱交換器３０４と熱的に接触する吸収溶液ライン３４０で連通され、また第１の冷媒蒸気ライン２１６で連通されている。
【００２２】
第１の冷媒蒸気ライン２１６は、ライン内を通過する冷媒蒸気が保有する熱量が、中温再生器２０４内の吸収溶液に投入されて冷媒蒸気が再生されるよう構成されている。
【００２３】
中温再生器２０４と低温再生器２０６とは、中温溶液熱交換器３０２と熱的に接触する吸収溶液ライン２４４で連通され、また、第２の冷媒蒸気ライン２１８と、第２の冷媒ドレン熱交換器３５２に熱的に接触する第１の冷媒蒸気ライン２１６の領域２１６Ａとで連通されている。
【００２４】
第２の冷媒ドレン熱交換器３５８は、合流点３５４と凝縮器２１０との間の領域３５６を流れる冷媒が保有する熱量を、分岐点２３４ａと合流点２３４ｂとの間の領域であって低温溶液熱交換器３００をバイパスする領域２３８ａを流れる吸収溶液に投入する。
【００２５】
第２の冷媒蒸気ライン２１８は、ライン内を通過する冷媒蒸気が保有する熱量が、低温再生器２０６内の吸収溶液に投入されて冷媒蒸気が再生されるよう構成されている。
【００２６】
低温再生器２０６と凝縮器２１０は、第２の冷媒ドレン熱交換器３５８と熱的に接触する冷媒蒸気ライン２１８Ａで連通されている。また、低温再生器２０６と吸収器２０８とは、低温溶液熱交換器３００と熱的に接触する吸収溶液ライン３７２で連通されている。
【００２７】
高温再生器２０２に、外部熱源に通じる加熱用蒸気ライン２１４が連通され、加熱用蒸気ライン２１４は流過する蒸気の保有する熱量が高温再生器２０２内の吸収溶液に投入されて冷媒蒸気が再生するよう加熱する機能を有し、加熱後は分岐部１４Ｂでライン２１４Ａ、２１４Ａｄとなって次記する各蒸気ドレン再生器２２０、２２４、２２８、２２２、２５５、２３０に接続されて蒸気供給源に戻るよう連通されている。
【００２８】
蒸気ドレン再生器２２０は、吸収溶液ライン２３４の高温溶液熱交換器３０４と高温再生器２０２との間の領域２５２に、ライン２１４Ａと熱的に接触して介装されている。
【００２９】
蒸気ドレン再生器２２４は、吸収溶液ライン２３４の高温溶液熱交換器３０４と合流部２３４ｄとの間にライン２１４Ａと熱的に接触して介装されている。
【００３０】
蒸気ドレン再生器２２８は、吸収溶液ライン２３４の合流部２３４ｂと分岐部２３４ｃとの間にライン２１４Ａと熱的に接触して介装されている。
蒸気ドレン再生器２２２は、吸収溶液ライン３４０の高温溶液熱交換器３０４と中温再生器３０２との間にライン２１４Ａｄと熱的に接触して介装されている。
【００３１】
蒸気ドレン再生器２５５は、吸収溶液ライン２４４の中温溶液熱交換器３０２と低温再生器２０６との間にライン２１４Ａｄと熱的に接触して介装されている。
蒸気ドレン再生器２３０は、吸収溶液ライン３７２の低温溶液熱交換器３００と吸収器２０８との間にライン２１４Ａｄと熱的に接触して介装されている。
【００３２】
蒸気ドレン再生器２２０、２２４、２２８と凝縮器２１０との間は、第３の冷媒蒸気ライン２１９で連通され、第３の冷媒蒸気ライン２１９はしれぞれ合流部２１９Ｇ１、２１９Ｇ２で合流するよう構成されている。
【００３３】
また、蒸気ドレン再生器２２２と凝縮器２１０との間は、第４の冷媒蒸気ライン１４Ｂｄで連通され、蒸気ドレン再生器２５５と２３０はそれぞれ蒸気ラインで合流部２１Ｊ、２１Ｋ９で第４の冷媒蒸気ライン１４Ｂｄに合流するよう構成されている。
【００３４】
上記各蒸気ドレン再生器２２０、２２４、２２８、２２２、２５５、２３０及び第１、第２の冷媒ドレン熱交換器３５２、３５３は、これらを経由するドレンの温度が、熱的に対となる吸収溶液ラインの温度より高温で、吸収溶液にドレンの保有する熱量が投入されることが必要条件である。したがって、吸収冷温水機Ｓ８の温度状況、空調負荷、加熱蒸気の温度、外気条件等によって、各蒸気ドレン再生器２２０、２２４、２２８、２２２、２５５、２３０及び第１、第２の冷媒ドレン熱交換器３５２、３５３の何れか１つあるいは全数を含む何れか複数が介装されている。
【００３５】
上記吸収冷温水機Ｓ８の作用を、各蒸気ドレン再生器２２０、２２４、２２８、２２２、２５５、２３０及び第１、第２の冷媒ドレン熱交換器３５２、３５３の全てが介装されている例について説明する。
吸収器２０８からで吸収溶液ライン２３４に吐出された冷媒を含む低温の稀釈吸収溶液は、第１の吸収部２０８Ｌを経由して分岐部２３４ａに向かう。第１の吸収部２０８Ｌでは、低温再生器２０６から供給されて滴下する吸収溶液で加熱され昇温する。
【００３６】
そして、分岐部２３４ａで分岐して一方は領域２３８ａを通過して第２の冷媒ドレン熱交換器３５８で加熱され昇温し、分岐部２３４ａで直行の他方の稀釈吸収溶液２３８ｂは低温溶液熱交換器３００を通過して加熱され昇温し、合流部２３４ｂで合流する。
【００３７】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【００３８】
合流部２３４ｂを通過した稀釈吸収溶液は、蒸気ドレン再生器２２８を通過して加熱され昇温し、分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【００３９】
なお、分岐部２３４ｃでの吸収溶液の分岐割合は、前記の分岐部２３４ａでの分岐要領と同じである。
【００４０】
合流部２３４ｄを通過した稀釈吸収溶液は、蒸気ドレン再生器２２４、高温溶液熱交換器３０４、蒸気ドレン再生器２２０を通過して加熱され昇温し、高温再生器２０２に導入される。
【００４１】
冷媒溶液を含んだ稀釈吸収溶液は、高温再生器２０２で加熱用蒸気ライン２１４による蒸気により加熱され、冷媒溶液を蒸気として分離され、濃縮された吸収溶液は、吸収溶液ライン３４０によって高温溶液熱交換器３０４で熱量を投入して中温再生器２０４に向かう。
【００４２】
中温再生器２０４で冷媒溶液を蒸気として分離され、濃縮された吸収溶液は、吸収溶液ライン２４４によって中温溶液熱交換器３０２で熱量を投入して低温再生器２０４に向かう。
【００４３】
低温再生器２０６で濃縮された吸収溶液は、低温溶液熱交換器３００で熱量を投入して吸収器２０８に向かう。
【００４４】
冷媒の移動については、高温再生器２０２で稀釈吸収溶液を蒸発分離させて、高熱量をもった蒸気として第１の冷媒蒸気ライン２１６を介して中温再生器２０４で吸収溶液を加熱させ、さらに、第１及び第２の冷媒ドレン熱交換器３５２、３５８で稀釈吸収溶液を加熱させる。また、中温再生器２０４で蒸発分離された冷媒蒸気も、第２の冷媒蒸気ライン２１８を介して低温再生器２０６で熱量を放出し、さらに冷媒蒸気ライン２１６Ａを介して第２の冷媒ドレン熱交換器３５８で熱量を投入する。
【００４５】
低温再生器２０２で蒸発分離された冷媒蒸気は、凝縮器２１０で凝縮され、蒸発器２１２で蒸発して外部流体と熱交換する。また、吸収器２０８で冷媒が外部流体と熱交換する。
【００４６】
上記の吸収溶液の流動過程で、蒸気ドレン再生器２２０、２２４、２２８、２２２、２５５、２３０では冷媒が蒸気として再生され、第３、第４の冷媒蒸気ライン２１９、１４Ｂｄを介して凝縮器２１０に導かれるとともに、吸収溶液は昇温する。
【００４７】
冷媒が蒸発し吸収溶液に吸収される過程で、吸収器２０８及び蒸発器２１２が２段となっているので、それぞれの機能が大きく作用する。
【００４８】
このようにして、加熱用蒸気ライン２１４、２１４Ａを介した蒸気の熱量を余すところなく利用して吸収冷温水機Ｓ８の熱効率を向上させる。
【００４９】
図２は、本発明の第２実施形態である冷媒ドレン熱交換器つきのパラレルフロータイプの３重効用蒸気焚き吸収冷温水機Ｐ９を示している。図１と異なる部分を主体に説明する。
【００５０】
吸収器２０８と高温再生器２０２は、稀釈吸収溶液ライン２３４で連通されている。
高温再生器２０２に向かう吸収溶液ライン２３４は、分岐部２３４ａで分岐し、合流部２３４ｂで合流して領域２３６Ａとなって分岐部３０８に連通されている。
【００５１】
分岐部３０８で分岐した吸収溶液ラインの一方は第１の分岐ライン３０６によって低温再生器２０６に連通され、直行の他方は分岐部２３４ｃに連通されている。
そして、分岐部２３４ｃで一方は中温溶液熱交換器３０２を径路とし、他方は第１の冷媒ドレン熱交換器３５２を径路として合流部２３４ｄに連通されている。
【００５２】
合流部２３４ｄと高温再生器２０２の間に、分岐部３１１が設けられていて、一方は第２の分岐ライン３１０によって中温再生器２０４に連通され、直行の他方は高温溶液熱交換器３０４を介装した領域２５２によって高温再生器２０２に連通されている。
【００５３】
高温再生器２０２と吸収器２０８とは、高温再生器２０２と分岐部３１１の間の領域２５２で高温溶液熱交換器３０４と熱的に接触する吸収溶液ライン３４０で連通されている。
その吸収溶液ライン３４０の径路では、合流部３２０と合流部３２４との間で中温溶液熱交換器３０２と熱的に接触し、合流部３２４と吸収器２０８との間で低温溶液熱交換器３００と熱的に接触して構成されている。
【００５４】
第１〜第３の冷媒蒸気ライン２１６、２１８、２１９等は、図１と同じであり、第５の冷媒蒸気ライン２２１Ｃによりドレン再生器２２０と凝縮器２１０が連通している。
また、各ドレン再生器２２０、２２４、２２８、２２２、２２５、２３０及び冷媒ドレン熱交換器３５８、３５２の熱的必要条件も同じである。
【００５５】
上記吸収冷温水機Ｐ９の作用を、各ドレン再生器２２０、２２４、２２８、２２２、２２５、２３０及び冷媒ドレン熱交換器３５８、３５２の全てが介装されている例について説明する。
吸収器２０８から吸収溶液ライン２３４に吐出された冷媒を含む低温の稀釈吸収溶液は、第１の吸収部２０８Ｌを経由して分岐部２３４ａに向かう。第1の吸 収部２０８Ｌでは、低温再生器２０６から供給されるて滴下する吸収溶液で加熱され昇温する。
【００５６】
そして、分岐部２３４ａで分岐して一方は領域２３８ａを通過して第２の冷媒ドレン再生器３５８で加熱され昇温し、分岐部２３４で直行の他方の稀釈吸収溶液は低温溶液熱交換器３００を通過して加熱され昇温し、合流部２３４ｂで合流する。
【００５７】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【００５８】
合流部２３４ｂを通過した稀釈吸収溶液は、蒸気ドレン再生器２２８を通過して加熱され昇温し、分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【００５９】
なお、分岐部２３４ｃでの吸収溶液の分岐割合は、前記の分岐部２４３ａでの分岐要領と同じである。
合流部２３４ｄを通過した稀釈吸収溶液は、蒸気ドレン再生器２２４で加熱され昇温し分岐部３１１で分岐した一方は、蒸気ドレン再生器２２２で加熱され昇温して吸収溶液ライン３１０を介して中温再生器２０４に向かう。
【００６０】
分岐部３１１で分岐した他方の稀釈吸収溶液は、高温溶液熱交換器３０４、蒸気ドレン再生器２２０を通過して加熱され昇温し、高温再生器２０２に導入される。
冷媒溶液を含んだ稀釈吸収溶液は、高温再生器２０２で加熱用蒸気ライン２１４による蒸気により加熱され、冷媒溶液を蒸気として分離され、濃縮された濃縮吸収溶液は、吸収溶液ライン３４０によって高温溶液熱交換器３０４で熱量を投入して吸収器２０８に向かう。
【００６１】
吸収溶液ライン３４０の径路で、中温溶液熱交換器３０２、低温溶液熱交換器３００で放熱して稀釈吸収溶液に熱量を投入する。
【００６２】
上記以外の吸収溶液の作用、冷媒蒸気ドレン再生器、冷媒ドレン熱交換器の作用は、図１の実施形態と同じである。
【００６３】
上記のようにして、蒸気ドレン再生器、冷媒ドレン熱交換器も使用して、投入した熱量の回収をはかっている。
【００６４】
図３は第３実施形態である冷媒ドレン熱交換器を設けたシリーズ・パラレルフロータイプ吸収冷温水機ＳＰ１０の構成を示している。図１と異なる部分を主体に説明する。
【００６５】
吸収器２０８と低温再生器２０６は、第１の吸収部２０８を経由する稀釈吸収溶液ライン２３４で連通されている。吸収溶液ライン２３４は、第１の吸収部２０８から領域２３５ａによって分岐部２３４ａに連通されている。
【００６６】
高温再生器２０２に向かう吸収溶液ライン２３４は、分岐部２３４ａで、低温溶液熱交換器３００を介装した領域２３８ａと第２の冷媒ドレン熱交換器３５８を介装した領域２３８ｂとに分岐され、合流部２３４ｂで合流するよう構成されている。
【００６７】
合流部２３４ｂと分岐部２３４ｃとの間に分岐部３０８が設けられ、分岐する第１の分岐ライン３０６で合流部２４４ｇによって吸収溶液ライン２４２に連結され、低温再生器２０６に連通されている。
また、分岐部２３４ｃで、中温溶液熱交換器３０２を介装した領域２３８ｄと第１の冷媒ドレン熱交換器３５２を介装した領域２３８ｃとに分岐され、合流部２３４ｄで合流するよう構成されている。
【００６８】
また、合流部２３４ｄと高温再生器２０２との間の領域２５２に高温溶液熱交換器３０４が介装されている。
合流部２３４ｄと高温溶液熱交換器３０４との間に分岐部３１１が設けられ、分岐する第２の分岐ライン３１０によって中温再生器２０４に連通されている。
【００６９】
高温再生器２０２と中温再生器２０４とは、高温溶液熱交換器３０４と熱的に接触する吸収溶液ライン１０４で連通され、また第１の冷媒蒸気ライン２１６で連通されている。第１の冷媒蒸気ライン２１６は、ライン内を通過する冷媒蒸気が保有する熱量が、中温再生器２０４内の吸収溶液に投入されて冷媒蒸気が再生されるよう構成されている。
【００７０】
中温再生器２０４と低温再生器２０６とは、中温溶液熱交換器３０２と熱的に接触する吸収溶液ライン２４４で連通されている。
【００７１】
第１の冷媒蒸気ライン２１６は、ライン内を通過する冷媒蒸気が保有する熱量が、中温再生器２０４内の吸収溶液に投入されて冷媒蒸気が再生されるよう構成されている。
【００７２】
低温再生器２０６と凝縮器２１０は、第２の冷媒ドレン熱交換器３５８と熱的に接触する冷媒蒸気ライン２１８Ａで連通されている。また、低温再生器２０６と吸収器２０８とは、低温溶液熱交換器３００と熱的に接触する吸収溶液ライン３７２で連通されている。
【００７３】
高温再生器２０２に、外部熱源に通じる加熱用蒸気ライン２１４が連通され、加熱用蒸気ライン２１４は、流過する蒸気の保有する熱量が高温再生器２０２内の吸収溶液に投入されて冷媒蒸気が再生するよう加熱する機能を有し、加熱後は分岐部１４Ｂで分岐して、ライン２１４Ａ、１４Ｂｄとなって次記する各蒸気ドレン再生器に接続されて蒸気供給源に戻るよう連通されている。
【００７４】
蒸気ドレン再生器２２０は、吸収溶液ライン２３４の高温溶液熱交換器３０４と高温再生器２０２との間の領域２５２に、ライン２１４Ａと熱的に接触して介装されている。
【００７５】
蒸気ドレン再生器２２４は、吸収溶液ライン２３４の高温溶液熱交換器３０４と合流部２３４ｄとの間に熱的に接触して介装されている。
蒸気ドレン再生器２２８は、吸収溶液ライン２３４の合流部２３４ｂと分岐部２３４ｃとの間に介装されている。
蒸気ドレン再生器２２２は、吸収溶液ライン３１０に介装されている。
【００７６】
蒸気ドレン再生器２２２Ｓは、吸収溶液ライン１０４の高温溶液熱交換器３０４と中温再生器２０４との間に介装されている。
蒸気ドレン再生器２５６は、吸収溶液ライン２４４の中温溶液熱交換器３０２分岐部２４４ｇとの間に介装されている。
蒸気ドレン再生器２３０は、吸収溶液ライン２３８の低温溶液熱交換器３００と吸収器２０８との間に介装されている。
【００７７】
蒸気ドレン再生器２２２と凝縮器２１０との間は、第４の冷媒蒸気ライン１４Ｂｄで連通され、蒸気ドレン再生器２２２Ｓ、２５６、２２５、２３０はそれぞれ第４の冷媒蒸気ラインでライン１４Ｂｄに連通されている。
【００７８】
上記各蒸気ドレン再生器２２０、２２４、２２８、２２２、２２２Ｓ、２５６、２２５、２３０及び第１、第２の冷媒ドレン熱交換器３５２、３５３は、これらを経由するドレンの温度が、熱的に対となる吸収溶液ライン２３４を流れる吸収溶液の温度より高温で、吸収溶液にドレンの保有する熱量が投入されることが必要条件である。
【００７９】
したがって、吸収冷温水機ＳＰ１０の温度状況、空調負荷、加熱蒸気の温度、外気条件等によって、各蒸気ドレン再生器２２０、２２４、２２８、２２２、２２２Ｓ、２５６、２２５、２３０及び第１、第２の冷媒ドレン熱交換器３５２、３５３の何れか１つあるいは全数を含む何れか複数が介装されている。
上記以外の構成は、図１と同じである。
【００８０】
上記吸収冷温水機ＳＰ１０の作用を、各ドレン再生器２２０、２２４、２２８、２２２、２２２Ｓ、２５６、２２５、２３０及び第１、第２の冷媒ドレン熱交換器３５２、３５３の全てが介装されている例について説明する。
吸収器２０８から吸収溶液ライン２３４に吐出された冷媒を含む低温の稀釈吸収溶液は、第１の吸収部２０８Ｌを経由して分岐部２３４ａに向かう。第１の吸収部２０８Ｌでは、低温再生器２０６から供給されるて滴下する吸収溶液で加熱され昇温する。
【００８１】
分岐部２３４ａで分岐した一方は、領域２３８ａを通過して第２の冷媒ドレン熱交換器３５８で加熱され昇温し、他方の稀釈吸収溶液２３８ｂは低温溶液熱交換器３００を通過して加熱され昇温し、合流部２３４ｂで合流する。
【００８２】
なお、分岐部２３４ａでの吸収溶液の分岐割合は、第２の冷媒ドレン熱交換器３５８及び低温溶液熱交換器３００からの受熱の合計熱量が最大となって合流部２３４ｂでの吸収溶液の温度が最大になるように配分される。
【００８３】
合流部２３４ｂを通過した稀釈吸収溶液は、蒸気ドレン再生器２２８を通過して加熱され昇温し、分岐部３０８で分岐する。分岐した一方は、吸収溶液ライン３０６を介して低温再生器２０６に導入され第２の冷媒蒸気ライン２１８で加熱され冷媒を再生させる。分岐部３０８で分岐した他方は、次の分岐部２３４ｃに向かう。
【００８４】
分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【００８５】
なお、分岐部２３４ｃでの吸収溶液の分岐割合は、前記の分岐部２３４ａでの分岐要領と同じである。
【００８６】
合流部２３４ｄを通過した吸収溶液は、蒸気ドレン再生器２２４で加熱され昇温して分岐部３１１で分岐する。分岐した一方は吸収溶液ライン３１０で中温再生器２０４に導入される。
【００８７】
分岐部３１１で分岐された直行の他方は、高温溶液熱交換器３０４と蒸気ドレン再生器２２０とで加熱され昇温して高温再生器２０２に導入される。
高温再生器２０２では、吸収溶液は、加熱用蒸気ライン２１４による蒸気Ｓｔにより加熱され、冷媒溶液を蒸気として分離され、濃縮された吸収溶液は、吸収溶液ライン１０４によって高温溶液熱交換器３０４で放熱して中温再生器２０４に向かう。
【００８８】
中温再生器２０４で、冷媒溶液を蒸気として分離され、濃縮された吸収溶液は、吸収溶液ライン２４４によって中温溶液熱交換器３０２で放熱して低温再生器２０４に向かう。
【００８９】
低温再生器２０６で濃縮された吸収溶液は、低温溶液熱交換器３００で放熱して吸収器２０８に向かう。
【００９０】
冷媒の移動については、高温再生器２０２で稀釈吸収溶液を蒸発分離させて、高熱量をもった蒸気として第１の冷媒蒸気ライン２１６を介して中温再生器２０４で吸収溶液を加熱させ、さらに、第１及び第２の冷媒ドレン熱交換器３５２、３５８で稀釈吸収溶液を加熱させる。また、中温再生器２０４で蒸発分離された冷媒蒸気も、第２の冷媒蒸気ライン２１８を介して低温再生器２０６で熱量を放出し、さらに冷媒蒸気ライン２１９Ａを介して合流部３５４で第１の蒸気ライン２１６Ａと合流して第２の冷媒ドレン熱交換器３５８で放熱する。
【００９１】
低温再生器２０２で蒸発分離された冷媒蒸気は、凝縮器２１０で凝縮され、蒸発器２１２で蒸発して外部流体と熱交換する。また、吸収器２０８で冷媒が外部流体と熱交換する。
【００９２】
上記、吸収溶液の流動過程で、蒸気ドレン再生器２２０、２２４、２２８、２２２、２２２Ｓ、２５６、２２５、２３０で冷媒が再生され、第３及び第４の冷媒蒸気ライン２１９、１４Ｂｄを介して凝縮器２１０に導かれるとともに吸収溶液温度を昇温させる。
【００９３】
このようにして、加熱用蒸気ライン２１４、２１４Ａを介した蒸気の熱量を余すところなく利用して吸収冷温水器ＳＰ１０の熱効率を向上させる。
【００９４】
図４は第４実施形態である冷媒ドレン熱交換器を設けたリバースフロータイプ吸収冷凍機Ｒ１１の構成を示している。図１と異なる部分を主体に説明する。
吸収器２０８と低温再生器２０６は、第１の吸収部２０８を経由する稀釈吸収溶液ライン２３４で連通されている。吸収溶液ライン２３４は、第１の吸収部２０８から領域２３５ａによって分岐部２３４ａに連通され、分岐部２３４ａで、領域２３８ａと領域２３８ｂとに分岐されている。
【００９５】
領域２３８ａは、第２の冷媒ドレン熱交換器３５８を介装して合流部２３４ｂに連通され、領域２３８ｂは、低温溶液熱交換器３００を介装して合流部２３４ｂに連通されている。
【００９６】
高温再生器２０２に向かう吸収溶液ライン２３４は、合流部２３４ｂで合流して領域２３８ｃとなって蒸気ドレン再生器２２８Ｂに熱的に接触して低温再生器２０６に連通されている。
【００９７】
低温再生器２０６と中温再生器２０４とは、吸収溶液ライン２６２で連通されている。吸収溶液ライン２６２に、分岐部２３４ｃが設けられ、領域２３８ｃと領域２３８ｄとに分岐されている。
【００９８】
領域２３８ｃは、第１の冷媒ドレン熱交換器３５２を介装して合流部２３４ｄに連通され、領域２３８ｄは、中温溶液熱交換器３０２を介装して合流部２３４ｄに連通されている。
合流部２３４ｄと中温再生器２０４とは、蒸気ドレン再生器２３４Ｂに熱的に接触する領域３８４で連通されている。
【００９９】
中温再生器２０４と高温再生器２０２は、高温溶液熱交換器３０４を介装し、蒸気ドレン再生器２２０に熱的に接触する領域２５２で連通されている。
高温再生器２０２と吸収器２０８は吸収溶液ライン１１０で連通されていて、前記高、中、低温溶液熱交換器３０４、３０２、３００に熱的に接触して第１の吸収器２０８Ｌに連通されている。
【０１００】
高温再生器２０２に、外部熱源に通じる加熱用蒸気ライン２１４が連通され、加熱用蒸気ライン２１４は、流過する蒸気の保有する熱量が高温再生器２０２内の吸収溶液に投入されて冷媒蒸気が再生するよう加熱する機能を有し、加熱後はライン２１４Ａとなって次記する各蒸気ドレン再生器に接続されて蒸気供給源に戻るよう連通されている。
【０１０１】
蒸気ドレン再生器２２０は、吸収溶液ライン２３４の領域２５２の高温溶液熱交換器３０４と高温再生器２０２との間に、領域２５２と熱的に接触して介装されている。
【０１０２】
蒸気ドレン再生器２３４Ｂは、吸収溶液ライン２３４の領域３８４の合流部２３４ｄと中温再生器２０４との間に、領域３８４と熱的に接触して介装されている。
蒸気ドレン再生器２２８は、吸収溶液ライン２３４の領域２３８ｃの合流部２３４ｂと低温再生器２０６との間に、領域２３８ｃと熱的に接触して介装されている。
【０１０３】
冷媒蒸気ライン、冷媒ドレンを搬送するラインたとえば、第１の冷媒蒸気ライン２１６、２１６Ａ、第１の冷媒蒸気ライン２１８等は、図１と同じである。
また、各ドレン熱交換器２２０、２３４Ｂ、２２８Ｂ、３５２、３５３の熱的必要条件も同じである。
【０１０４】
蒸気ドレン再生器２２０と凝縮器２１０は、第３の冷媒蒸気ライン２１９で連通され、蒸気ドレン再生器２３４Ｂ、２２８Ｂはそれぞれ第３の冷媒蒸気ライン２１９に合流するよう連通されている。
【０１０５】
上記吸収冷温水機Ｒ１１の作用を、各ドレン熱交換器２２０、２３４Ｂ、２２８Ｂ、３５２、３５３の全てが介装されている例について説明する。
吸収器２０８から吸収溶液ライン２３４に吐出された冷媒を含む低温の吸収溶液は、第１の吸収部２０８Ｌを経由して分岐部２３４ａに向かう。第１の吸収部２０８Ｌでは、低温再生器２０６から供給されるて滴下する吸収溶液で加熱され昇温する。
【０１０６】
分岐部２３４ａで分岐した一方は、領域２３８ａを通過して第２の冷媒ドレン熱交換器３５８で加熱され昇温し、分岐部２３４ａで直行の他方の吸収溶液は低温溶液熱交換器３００を通過して加熱され昇温し、合流部２３４ｂで合流する。
【０１０７】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【０１０８】
合流部２３４ｂを通過した吸収溶液は、蒸気ドレン再生器２２８Ｂを通過して加熱され昇温し、低温再生器２０６に導入される。
低温再生器２０６で１部の冷媒が蒸発分離され、領域３８４を介して分岐部２３４ｃに向かい、分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【０１０９】
なお、分岐部２３４ｃでの吸収溶液の分岐割合は、前記の分岐部２３４ａでの分岐要領と同じである。
【０１１０】
合流部２３４ｄを通過した稀釈吸収溶液は、蒸気ドレン再生器２３４Ｂで加熱され昇温し中温再生器２０４に向かう。
中温再生器２０４でさらに濃縮された吸収溶液は、高温溶液熱交換器３０４と蒸気ドレン再生器２２０で加熱され昇温して、高温再生器２０２で加熱用蒸気ライン２１４を通過する加熱蒸気によって加熱され冷媒が蒸発分離して濃縮される。
【０１１１】
高温再生器２０２で濃縮された吸収溶液は、吸収溶液ライン１１０を通って高温、中温、低温溶液熱交換器３０４、３０２、３００で熱量を投入して第１の吸収部２０８に導入される。
【０１１２】
上記、吸収溶液の流動過程で、蒸気ドレン再生器２２０、２３４Ｂ、２２８Ｂで冷媒が再生され、第３の冷媒蒸気ライン２１９を介して凝縮器２１０に導かれるとともに吸収溶液温度を昇温させる。
【０１１３】
上記以外の吸収溶液の作用、冷媒蒸気、冷媒ドレンの作用は、図１の実施形態と同じである。
【０１１４】
上記のようにして、リバースフロータイプ冷温水機に蒸気ドレン再生器と、冷媒ドレン熱交換器と、複数段の吸収器、蒸発器と、溶液冷却吸収器を使用して、加熱用蒸気ライン２１４、２１４Ａで投入した熱量の回収をしている。
【０１１５】
図５は第５実施形態である冷媒ドレン熱交換器を設けたリバース・パラレルフロータイプ吸収冷温水機ＲＰ１２の構成を示している。図４と異なる部分を主体に説明する。
【０１１６】
低温再生器２０６と中温再生器２０４は、吸収溶液ライン２６２で連通されている。吸収溶液ライン２６２の低温再生器２０６と分岐部２３４ｃの間に分岐部２６４が設けられ、分岐部２６４に設けられた分岐ライン２６８は、吸収溶液ライン１１０の低温溶液熱交換器３００と中温溶液熱交換器３０２の間の合流部２６６に連通されている。
【０１１７】
中温再生器２０４と高温再生器２０２は、吸収溶液ライン２７０で連通されている。吸収溶液ライン２７０の中温再生器２０４と高温溶液熱交換器３０４の間に、分岐部２７２が設けられ、分岐部２７２に設けられた分岐ライン２７６は、吸収溶液ライン１１０の中温溶液熱交換器３０２と高温溶液熱交換器３０４の間の合流部２７４に連通されている。
上記以外の構成は、全て図４の吸収冷温水機Ｒ１１と同じである。
【０１１８】
上記吸収冷温水機ＲＰ１２の作用を、吸収冷温水機Ｒ１１と異なる部分を主体に説明する。
吸収器２０８から吸収溶液ライン２３４に吐出された冷媒を含む低温の吸収溶液は、第１の吸収器２０８Ｌを経由して分岐部２３４ａに向かう。第１の吸収部２０８Ｌでは、低温再生器２０６から供給されるて滴下する吸収溶液で加熱され昇温する。
【０１１９】
分岐部２３４ａで分岐した一方は、第２の冷媒ドレン熱交換器３５８で加熱され昇温し、他方は吸収溶液は低温溶液熱交換器３００を通過して加熱され昇温し、合流部２３４ｂで合流する。
【０１２０】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【０１２１】
合流部２３４ｂを通過した吸収溶液は、蒸気ドレン再生器２２８Ｂを通過して加熱され昇温し、低温再生器２０６に導入される。
低温再生器２０６で１部の冷媒が蒸発分離され、分岐部２６４に向かい、分岐部２６４で、一方は分岐ライン２６８を介して合流部２６６で吸収溶液ライン１１０に合流して吸収器２０８に向かう。他方は、中温再生器２０４に向かう。
中温再生器２０４で加熱され昇温した吸収溶液は、吸収溶液ライン２７０を介して分岐部２７２に向かい、分岐部２７２で、一方は分岐ライン２７６を介して合流部２７４で吸収溶液ライン１１０に合流して、吸収器２０８に向かう。他方は、高温溶液熱交換器、蒸気ドレン再生器２２０で加熱され昇温して高温再生器２０２に導入される。
【０１２２】
上記、吸収溶液の流動過程で、蒸気ドレン再生器２２０、２３４Ｂ、２２８Ｂで冷媒が再生され、第３の冷媒蒸気ライン２１９を介して凝縮器２１０に導かれるとともに吸収溶液温度を昇温させる。
上記以外の吸収溶液の作用、冷媒蒸気、冷媒ドレンの作用は、図４の実施形態と同じである。
【０１２３】
上記のようにして、リバース・パラレルフロータイプ冷温水機に蒸気ドレン再生器と、冷媒ドレン熱交換器と、複数段の吸収器、蒸発器と、溶液冷却吸収器を使用して、加熱用蒸気ライン２１４、２１４Ａで投入した熱量の回収をしている。
【０１２４】
なお、図示５種の実施形態はあくまで例示であり、本発明の技術的範囲を限定する趣旨の記述ではない。
例えば、図示では各種のフロータイプ（例えば、シリーズフロー、パラレルフロー、リバースフロー、シリーズ・パラレルフロー、リバース・パラレルフロー）の代表的なもののみを示しているが、図示しないフローパターンにも本発明の利用が可能である。
また、冷媒ドレン熱交換器を配置し、下胴を複数段にし、溶液冷却吸収器を設けた実施形態は、図示以外にも多数考えられる。
【０１２５】
【発明の効果】
本発明の作用効果を、以下に列記する。
（１）  本発明によれば、高温再生器で使用した加熱蒸気を複数の蒸気ドレン再生器で使用して稀釈吸収溶液を加熱させているので、熱の回収が大きい。
（２）  再生器で蒸発し発生した冷媒蒸気を低温再生器および低温の稀釈吸収溶液加熱に使用するので熱の回収がさらに大きくなる。
（３）  冷媒ドレンを冷媒ドレン熱交換器に通し、吸収冷媒を加熱させるので熱の回収が大きくなる。
（４）  蒸発器と吸収器の下胴部分を複数段に分割すれば、機能が向上し熱効率がよくなる。
（５）  吸収器に溶液冷却吸収器を設ければ、再生器からの滴下吸収溶液の熱量を回収でき、さらに熱の回収が可能である。
【図面の簡単な説明】
【図１】  本発明の第１実施形態の冷媒ドレン熱交換器を有するシリーズフロータイプ吸収冷温水機を示す構成図。
【図２】  本発明の第２実施形態の冷媒ドレン熱交換器を有するパラレルフロータイプ吸収冷温水機を示す構成図。
【図３】  本発明の第３実施形態の冷媒ドレン熱交換器を有するシリーズ・パラレルフロータイプ吸収冷温水機を示す構成図。
【図４】  本発明の第４実施形態の冷媒ドレン熱交換器を有するリバースフロータイプ吸収冷温水機を示す構成図。
【図５】  本発明の第５実施形態の冷媒ドレン熱交換器を有するリバース・パラレルフロータイプ吸収冷温水機を示す構成図。
【図６】  従来のシリーズフロータイプ吸収冷温水機を示す構成図。
【符号の説明】
２０２・・・高温再生器
２０４・・・中温再生器
２０６・・・低温再生器
２０８・・・吸収器
２１０・・・凝縮器
２１２・・・蒸発器
２１４、２１４Ａ・・加熱用蒸気ライン
２２０、２２２、２２４、２２６、２２８、２３０、２３２・・蒸気ドレン再生器
２３４、２３８、２４０、２４４、２４６、２５０、２５２・・吸収溶液ライン
【図１】
0003791832.tif 000002
【図２】
0003791832.tif 000003
【図３】
0003791832.tif 000004
【図４】
0003791832.tif 000005
【図５】
0003791832.tif 000006
【図６】
0003791832.tif 000007